(57)【要約】【課題】簡素な構造でありながら使用者が簡単にかつ効果的にフィルタを除塵することができるメンテナンス性に優れた電気掃除機を提供すること。【解決手段】電動送風機を内蔵する駆動部と、前記駆動部に着脱可能に装着される集塵部とを有し、前記電動送風機が駆動することによりダストを含む空気が前記集塵部に流入するよう構成された掃除機本体を備え、  前記集塵部は、集塵カップと、前記集塵カップに着脱可能に収納されるフィルタとを有し、  前記フィルタは、弾性変形によって振動可能な弾性枠体と、前記弾性枠体に設けられたフィルタ本体と、振動伝達部とを有し、  前記振動伝達部は、前記弾性枠体によって生じる振動を前記フィルタ本体に伝達するよう、前記弾性枠体と前記フィルタ本体との間に設けられていることを特徴とする電気掃除機。【選択図】図３
2020078530.tif 000002
【特許請求の範囲】
【請求項１】
電動送風機を内蔵する駆動部と、前記駆動部に着脱可能に装着される集塵部とを有し、前記電動送風機が駆動することによりダストを含む空気が前記集塵部に流入するよう構成された掃除機本体を備え、
前記集塵部は、集塵カップと、前記集塵カップに着脱可能に収納されるフィルタとを有し、
前記フィルタは、弾性変形によって振動可能な弾性枠体と、前記弾性枠体に設けられたフィルタ本体と、振動伝達部とを有し、
前記振動伝達部は、前記弾性枠体によって生じる振動を前記フィルタ本体に伝達するよう、前記弾性枠体と前記フィルタ本体との間に設けられていることを特徴とする電気掃除機。
【請求項２】
前記振動伝達部が、前記弾性枠体と前記フィルタ本体とを接合する接合部である請求項１に記載の電気掃除機。
【請求項３】
前記振動伝達部が、前記フィルタ本体と接触可能に前記弾性枠体に設けられた突起部である請求項１に記載の電気掃除機。
【請求項４】
前記振動伝達部が、前記フィルタ本体と接触可能な玉材と、前記玉材と前記弾性枠体とを連結する連結材とを有してなる請求項１に記載の電気掃除機。
【請求項５】
前記フィルタ本体が布製または紙製である請求項１〜４のいずれか１つに記載の電気掃除機。
【請求項６】
前記弾性枠体は、カップ形に形成されており、前記弾性枠体の前記カップ形の開口端部に沿って外鍔部が設けられると共に、前記弾性枠体の前記カップ形の内側底面に摘み部が設けられている請求項１〜５のいずれか１つに記載の電気掃除機。
【発明の詳細な説明】
【技術分野】
【０００１】
本発明は、電気掃除機に関する。
【背景技術】
【０００２】
従来の電気掃除機として、特許文献１には、電動送風機を内蔵する本体ケースと、本体ケースに着脱可能に装着される集塵カップと、集塵カップ内に収納されるカップ形のフィルタ枠と、フィルタ枠の外面を覆うフィルタと、打撃棒とを備え、集塵カップに吸引口が設けられると共に、本体ケースに排気口が設けられた電気掃除機が提案されている。
【０００３】
この従来の電気掃除機において、打撃棒は、本体ケースを貫通してフィルタ枠側へ突出した下端と、本体ケースから外部へ突出する上端とを有し、使用者が打撃棒の上端にハンマー等を用いて打撃を加えることにより、この打撃力が打撃棒の下端からフィルタ枠を介してフィルタに伝わり、それによってフィルタが振動してフィルタに付着したダストを集塵カップ内に払い落とすように構成されている。
【先行技術文献】
【特許文献】
【０００４】
【特許文献１】特開２０１４−１５１１６９号公報
【発明の概要】
【発明が解決しようとする課題】
【０００５】
前記従来の電気掃除機の場合、フィルタを振動させる手段としての打撃棒が本体ケースを貫通しているため、吸引力を低下させないよう打撃棒の貫通部分の気密性を確保する必要がある。
【０００６】
本発明は、このような課題に鑑みなされたものであり、簡素な構造でありながらメンテナンス性が向上した電気掃除機を提供することを目的とする。
【課題を解決するための手段】
【０００７】
本発明によれば、電動送風機を内蔵する駆動部と、前記駆動部に着脱可能に装着される集塵部とを有し、前記電動送風機が駆動することによりダストを含む空気が前記集塵部に流入するよう構成された掃除機本体を備え、
前記集塵部は、集塵カップと、前記集塵カップに着脱可能に収納されるフィルタとを有し、
前記フィルタは、弾性変形によって振動可能な弾性枠体と、前記弾性枠体に設けられたフィルタ本体と、振動伝達部とを有し、
前記振動伝達部は、前記弾性枠体によって生じる振動を前記フィルタ本体に伝達するよう、前記弾性枠体と前記フィルタ本体との間に設けられている電気掃除機が提供される。
【発明の効果】
【０００８】
本発明によれば、使用者が簡単にフィルタを除塵することができるメンテナンス性に優れた電気掃除機を提供することができる。
【図面の簡単な説明】
【０００９】
【図１】本発明の実施形態１の電気掃除機を示す斜視図である。
【図２】図１の電気掃除機における集塵部を左側から視た斜視図である。
【図３】図２の集塵部の左側断面図である。
【図４】図２の集塵部における集塵カップから弾性枠体と共に濾材を取り出した状態を示す斜視図である。
【図５】図２の集塵部における枠本体を示す下方から視た斜視図である。
【図６】図５の枠本体の左側断面図である。
【図７】図６の枠本体に振動伝達部としての接合部を介して濾材が接合された状態を示す左側断面図である。
【図８】図２の集塵部の除塵動作を説明する図であって（Ａ）は摘み部を引き上げた状態、（Ｂ）は摘み部を離した状態である。
【図９】実施形態２の電気掃除機の集塵部の除塵動作を説明する図であって（Ａ）は摘み部を引き上げた状態、（Ｂ）は摘み部を離した状態である。
【図１０】実施形態３の電気掃除機の集塵部の除塵動作を説明する図であって（Ａ）は摘み部を引き上げた状態、（Ｂ）は摘み部を離した状態である。
【発明を実施するための形態】
【００１０】
（実施形態１）
＜電気掃除機の全体構成＞
図１は本発明の実施形態１の電気掃除機を示す斜視図である。なお、図１において、この電気掃除機の前後左右上下方向を矢印にて示している。
この電気掃除機Ａは、電動送風機１ｂを内蔵する駆動部１および駆動部１に着脱可能に装着される集塵部２を有する掃除機本体１０と、駆動部１の下部に接続された吸込口体３と、駆動部１の上部に接続される棒状のハンドル４とを備えたスティック型の電気掃除機である。
【００１１】
駆動部１は、上下方向に長い流線形の筐体１ａを有しており、その筐体１ａに前記電動送風機１ｂと共に図示しないバッテリが収納されている。また、筐体１ａの前面には電源スイッチ１ａｃが設けられている。
この筐体１ａは、その前面側の下半部に、集塵部２を着脱可能に装着するよう前面から左右側面に亘って開口する装着凹部１ｃが設けられている。
また、筐体１ａにおいて、装着凹部１ｃの底部１ｃａには可撓性ホース６を介して吸込口体３と接続する第１通風路１ｃｂが設けられると共に、装着凹部１ｃの天井部１ｃｃには筐体１ａの上半部の内部空間と連通する第２通風路１ｃｄが設けられており、第２通風路１ｃｄ内に電動送風機１ｂが収納されている。
【００１２】
また、筐体１ａの上半部の後面には排気口１ａａが設けられており、空気が第２通風路１ｃｄを通過した後に排気口１ａａから外部へ排気されるようになっている。
また、筐体１ａの上端には有底筒状のハンドル接続部１ａｂが設けられると共に、ハンドル接続部１ａｂの後面上部には、ハンドル４の下端の係止凹部（不図示）と係脱可能に係止する係止爪（不図示）を有する押しボタン１ａｆが設けられている。また、ハンドル４の上部には手元側の電源スイッチ４ａが設けられている。
【００１３】
押しボタン１ａｆを押しながらハンドル４を引っ張ってハンドル接続部１ａｂから引き抜くことができる。例えば、階段や棚上等を清掃する際は、このように掃除機本体１０からハンドル４を引き抜いてスティック型からハンディ型に変え、掃除機本体１０のハンドル接続部１ａｂを持って清掃することができる。
【００１４】
吸込口体３は、底部に吸込口３ｂが設けられた筐体３ａを有している。
この筐体３ａの内部には、吸込口３ｂと可撓性ホース６とを接続する通風路３ｃが設けられている。
吸込口体３の筐体３ａの後部と駆動部１の筐体１ａの下部とはヒンジ部材７にて連結されており、このヒンジ部材７によって駆動部１に対して吸込口体３は前後方向および左右方向に揺動することができる。
【００１５】
＜集塵部について＞
図２は図１の電気掃除機における集塵部を左側から視た斜視図であり、図３は図２の集塵部の左側断面図であり、図４は図２の集塵部における集塵カップから弾性枠体と共に濾材を取り出した状態を示す斜視図である。また、図５は図２の集塵部における枠本体を示す下方から視た斜視図であり、図６は図５の枠本体の左側断面図である。
集塵部２は、上方開口部２ａａを有する集塵カップ２ａと、集塵カップ２ａに着脱可能に収納されるフィルタ２ｂとを有する。
【００１６】
集塵カップ２ａは、集塵部２が駆動部１の装着凹部１ｃに装着されたときに第１通風路１ｃｂと接続する空気流入口２ａｂを底部に有している。
この空気流入口２ａｂは、集塵カップ２ａの底部から上方へ突出した短筒形に形成されており、その短筒形の上端には逆止弁２ａｃが設けられている。つまり、空気流入口２ａｂから集塵カップ２ａ内にダストを含む空気が流入する際は逆止弁２ａｃが開き、空気の流れが止まると逆止弁２ａｃが閉じてダストが空気流入口２ａｂ側へ戻らないようになっている。
【００１７】
また、集塵カップ２ａは、フィルタ２ｂの後述する弾性枠体２ｂａの外鍔部４２ｂａを載せる複数のリブ２ａｄを内面における上方開口部２ａａの近傍に有する。
また、集塵カップ２ａの上端の前面には、係止爪１１２ａｅを有するスライド部材１２ａｅおよび付勢部材としての圧縮コイルバネ２２ａｅを有するロック機構２ａｅが設けられると共に、集塵カップ２ａの下端には、駆動部１の装着凹部１ｃの底部１ｃａの周囲部に設けられた図示しない凹部に係止可能な突起部２ａｆが設けられている。
ている。
【００１８】
ロック機構２ａｅのスライド部材１２ａｅは上下方向にスライド可能であり、圧縮コイルバネ２２ａｅによって上方へ付勢されている。
一方、駆動部１の筐体１ａにおける装着凹部１ｃの上縁近傍には、装着凹部１ｃに装着された集塵カップ２ａのロック機構２ａｅの係止爪１１２ａｅと係脱可能に係止する図示しない係止凹部が設けられている。
【００１９】
集塵カップ２ａを駆動部１の装着凹部１ｃに装着する際、集塵カップ２ａの下部の突起部２ａｆが装着凹部１ｃの底部１ｃａの前記凹部（不図示）に係止すると共に、ロック機構２ａｅの係止爪１１２ａｅが装着凹部１ｃの上縁近傍の前記係止凹部（不図示）に係止する。集塵カップ２ａを駆動部１の装着凹部１ｃから取り外す際は、ロック機構２ａｅのスライド部材１２ａｅを圧縮コイルバネ２２ａｅの付勢力に抗して下方へスライドすることにより係止爪１１２ａｅが係止凹部（不図示）から離脱するため、スライド部材１２ａｅを下方へスライドさせた状態で集塵カップ２ａを手前へ引き出すと装着凹部１ｃから取り外すことができる。
【００２０】
フィルタ２ｂは、弾性変形可能な略カップ形の弾性枠体２ｂａと、弾性枠体２ｂａの集塵カップ２ａ側の面（外面）に設けられた袋状のフィルタ本体（濾材）２ｂｂと、弾性枠体２ｂａとフィルタ本体２ｂｂとの間に設けられ振動伝達部２ｂｃとを有する。
図５〜図７に示すように、弾性枠体２ｂａは、短筒部１２ｂａと、短筒部１２ｂａの下端縁から吊り下がるように連設された枠部２２ｂａと、枠部２２ｂａの底部から上方突出状に連設された倒立Ｕ形の摘み部３２ｂａと、短筒部１２ｂａの外周面に連設された外鍔部４２ｂａとを有し、少なくとも枠部２２ｂａが弾性変形可能な材料（例えば、樹脂）にて形成されている。
【００２１】
実施形態１の場合、弾性枠体２ｂａにおいて、枠部２２ｂａは、等間隔で配置された４本のＬ形部分１２２ｂａと、各Ｌ形部分１２２ｂａの下端を連結する円環部分２２２ｂａとを有してなり、対向する２本のＬ形部分１２２ｂａの下端に摘み部３２ｂａの下端が繋がっている。
【００２２】
また、実施形態１の場合、フィルタ本体２ｂｂは布製であり、袋状のフィルタ本体２ｂｂの開口端縁部が、弾性枠体２ｂａの短筒部１２ｂａの外周面に接着、溶着等により隙間無く密着し固定されている。
また、実施形態１の場合、振動伝達部２ｂｃは、弾性枠体２ｂａの枠部２２ｂａとフィルタ本体２ｂｂとを接合する接合部１２ｂｃである。具体的には、枠部２２ｂａの４本のＬ形部分１２２ｂａの屈曲部外側とフィルタ本体２ｂｂの内面とが、接着剤による接着、超音波による溶着、糸による縫製等によって接合されており、その各接合部分が振動伝達部２ｂｃとしての接合部１２ｂｃとなっている。
【００２３】
＜電気掃除機の動作およびメンテナンスについて＞
このように構成された実施形態１の電気掃除機Ａの動作およびメンテナンスについて、図１〜図８を参照しながら説明する。なお、図８は図２の集塵部の除塵動作を説明する図であって（Ａ）は摘み部を引き上げた状態、（Ｂ）は摘み部を離した状態である。
床などの清掃（掃除）の際、電気掃除機Ａの電源スイッチ１ａｃまたは４ａを押すことにより、電動送風機１ｂが駆動して駆動部１内が負圧となり、それによって吸込口３ｂからダストを含む空気が吸込口体３内に流入する。吸込口体３内に流入したダストを含む空気は、可撓性ホース６および駆動部１の第１通風路１ｃｂを通って集塵部２の集塵カップ２ａ内に空気流入口２ａｂから流入する。集塵部２において、集塵カップ２ａ内に流入したダストはフィルタ本体２ｂｂに捕捉され、ダストが除去された空気がフィルタ本体２ｂｂを通過して駆動部１の第２通風路１ｃｄに流入し、排気口１ａａから外部に排気される。なお、電源スイッチ１ａｃまたは４ａをもう一度押すと、電動送風機１ｂが停止する。
【００２４】
このようにして床などを清掃（掃除）した後の集塵カップ２ａ内にはダストが溜まるため、集塵カップ２ａ内に所定量以上のダストが溜まれば駆動部１から集塵部２を取り外してダストを廃棄する必要がある。また、フィルタ２ｂのフィルタ本体２ｂｂにおけるダストカップ２ａに面する外面にはダストＤ（図８（Ａ）参照）が付着しているため、フィルタ本体２ｂｂからダストＤを除去することが好ましい。
【００２５】
このような集塵部２のメンテナンスの際には、駆動部１の装着凹部１ｃから取り外した集塵部２を床面や台上に置いた状態とし、図８（Ａ）に示すように、一方の手でフィルタ２ｂの弾性枠体２ｂａの外鍔部４２ｂａを集塵カップ２ａの各リブ２ａｄに押し付けながら、他方の手で弾性枠体２ｂａの摘み部３２ｂａを矢印Ｐ１方向に引き上げる。このとき、弾性枠体２ｂａの枠部２２ｂａの４本のＬ形部分１２２ｂａの下端が引き上げられるように弾性変形し、それに伴って４つの接合部１２ｂｃ（振動伝達部２ｂｃ）と共にフィルタ本体２ｂｂの底部も引き上げられる。なお、このときの弾性枠体２ｂａの弾性変形により、４本のＬ形部分１２２ｂａの屈曲部、各接合部１２ｂｃおよび各接合部１２ｂｃと接合したフィルタ本体２ｂｂの底部の４箇所が、弾性枠体２ｂａのセンター（軸心）の方へ接近する。
【００２６】
その後、図８（Ｂ）に示すように、引き上げた摘み部３２ｂａを離すと、弾性枠体２ｂａの枠部２２ｂａが急激に元の形状に復元する。すなわち、摘み部３２ｂａが急激に矢印Ｐ２方向に下がり、弾性枠体２ｂａの４本のＬ形部分１２２ｂａの屈曲部、各接合部１２ｂｃおよび各接合部１２ｂｃと接合したフィルタ本体２ｂｂの底部の４箇所が、弾性枠体２ｂａのセンター（軸心）から離れた元の位置へ移動する。このとき、弾性枠体２ｂａの急激な復元動作時の振動が、４つの接合部１２ｂｃ（振動伝達部２ｂｃ）を介してフィルタ本体２ｂｂに伝わる。つまり、フィルタ本体２ｂｂは縮まった状態から一気に広がった状態となる。このようにフィルタ本体２ｂｂには急激な振動（衝撃）が付与されるため、フィルタ本体２ｂｂの外面に付着したダストＤが集塵カップ２ａ内に振り落とされる。なお、摘み部３２ｂａの引き上げおよび離しを複数回繰り返せばより効果的にフィルタ本体２ｂｂからダストＤを除去することができる。
【００２７】
なお、フィルタ本体２ｂｂを紙製とした場合、弾性枠体２ｂａの弾性変形と復元動作が繰り返し行われることにより、フィルタ本体２ｂｂの接合部１２ｂｃ近傍部分が破れるおそれがあるため、実施形態１では布製のフィルタ本体２ｂｂを用いている。しかしながら、紙製のフィルタ本体２ｂｂでもこのような破れが生じないものであれば、接合部１２ｂｃにて弾性枠体２ｂａと接合してもよい。
【００２８】
（実施形態２）
図９は実施形態２の電気掃除機の集塵部の除塵動作を説明する図であって（Ａ）は摘み部を引き上げた状態、（Ｂ）は摘み部を離した状態である。なお、図９において、図８中の要素と同様の要素には同一の符号を付している。
実施形態２の電気掃除機は、集塵部におけるフィルタ１０２ｂの振動伝達部１０２ｂｃの構成が実施形態１とは異なる以外は、実施形態１と同様に構成されている。以下、実施形態２における実施形態１とは異なる点を主に説明する。
【００２９】
図９（Ａ）および（Ｂ）に示すように、実施形態２において、振動伝達部１０２ｂｃは、フィルタ本体２ｂｂと接触可能に弾性枠体２ｂａに設けられた突起部１１２ｂｃである。具体的には、弾性枠体２ｂａの４本のＬ形部分１２２ｂａにおける屈曲部の外側近傍位置に、突起部１１２ｂｃが一体状に設けられている。この突起部１１２ｂｃのＬ形部分１２２ｂａからの突出寸法は、特に限定されるものではないが、実施形態２ではＬ形部分１２２ｂａにおける屈曲部の厚み程度の突出寸法に設定されている。換言すると、突起部１１２ｂｃの厚みはＬ形部分１２２ｂａにおける屈曲部の厚みの２倍程度である。
【００３０】
実施形態２の場合も、集塵部のメンテナンスの際には実施形態１と同様に弾性枠体２ｂａの摘み部３２ｂａの引っ張りと離しを行うことにより、フィルタ本体２ｂｂの外面に付着したダストＤを振り落とすことができる。
この際、図９（Ａ）に示すように、実施形態２ではフィルタ本体２ｂｂが弾性枠体２ｂａに接合されていないため、摘み部３２ｂａを矢印Ｐ１方向に引き上げると、４つの突起部１１２ｂｃ（振動伝達部１０２ｂｃ）は弾性枠体２ｂａのセンター（軸心）の方へ接近するが、この動きにフィルタ本体２ｂｂは追随しない。
【００３１】
その後、図９（Ｂ）に示すように、引き上げた摘み部３２ｂａを離すと、弾性枠体２ｂａの枠部２２ｂａが急激に元の形状に復元する。すなわち、摘み部３２ｂａが急激に矢印Ｐ２方向に下がり、弾性枠体２ｂａの４本のＬ形部分１２２ｂａおよび各突起部１１２ｂｃが、弾性枠体２ｂａのセンター（軸心）から離れた元の位置へ移動し、フィルタ本体２ｂｂと接触する。このとき、弾性枠体２ｂａの急激な復元動作時の振動が、４つの突起部１１２ｂｃ（振動伝達部２ｂｃ）を介してフィルタ本体２ｂｂに伝わる。つまり、フィルタ本体２ｂｂは弛んだ状態から４つの突起部１１２ｂｃによって内側から押し広げられて張った状態となる。このようにフィルタ本体２ｂｂには急激な振動（衝撃）が付与されるため、フィルタ本体２ｂｂの外面に付着したダストＤが集塵カップ２ａ内に振り落とされる。なお、実施形態２の場合も、摘み部３２ｂａの引き上げおよび離しを複数回繰り返せばより効果的にフィルタ本体２ｂｂからダストＤを除去することができる。
【００３２】
（実施形態３）
図１０は実施形態３の電気掃除機の集塵部の除塵動作を説明する図であって（Ａ）は摘み部を引き上げた状態、（Ｂ）は摘み部を離した状態である。なお、図１０において、図８中の要素と同様の要素には同一の符号を付している。
実施形態３の電気掃除機は、集塵部におけるフィルタ１０２ｂの振動伝達部２０２ｂｃの構成が実施形態１とは異なる以外は、実施形態１と同様に構成されている。以下、実施形態３における実施形態１とは異なる点を主に説明する。
【００３３】
図１０（Ａ）および（Ｂ）に示すように、実施形態３において、振動伝達部２０２ｂｃは、フィルタ本体２ｂｂと接触可能な玉材２１２ｂｃと、玉材２１２ｂｃと弾性枠体２ｂａとを連結する連結材２２２ｂｃとを有してなる。
この場合、玉材２１２ｂｃは、フィルタ本体２ｂｂにダメージを与えないよう球形に形成されており、その一部には連結材２２２ｂｃとしての紐を結びつける輪部が設けられている。なお、弾性枠体２ｂａの摘み部３２ｂａにも連結材２２２ｂｃとしての紐を結びつける輪部が設けられている。
また、連結材２２２ｂｃの長さは、弾性枠体２ｂａの自由状態において、玉材２１２ｂｃによってフィルタ本体２ｂｂの底部が押し下げられて張った状態となる長さに設定される。
【００３４】
実施形態３の場合も、集塵部のメンテナンスの際には実施形態１と同様に弾性枠体２ｂａの摘み部３２ｂａの引っ張りと離しを行うことにより、フィルタ本体２ｂｂの外面に付着したダストＤを振り落とすことができる。
この際、図１０（Ａ）に示すように、摘み部３２ｂａを矢印Ｐ１方向に引き上げると、弾性枠体２ｂａの枠部２２ｂａが弾性変形すると共に、振動伝達部２０２ｂｃの連結材２２２ｂｃおよび玉材２１２ｂｃが上昇する。
【００３５】
その後、図１０（Ｂ）に示すように、引き上げた摘み部３２ｂａを離すと、弾性枠体２ｂａの枠部２２ｂａが急激に元の形状に復元する。すなわち、摘み部３２ｂａが急激に矢印Ｐ２方向に下がり、弾性枠体２ｂａの４本のＬ形部分１２２ｂａが、弾性枠体２ｂａのセンター（軸心）から離れた元の位置へ移動する。これと同時に、振動伝達部２０２ｂｃの玉材２１２ｂｃが落下する。このとき、弾性枠体２ｂａの急激な復元動作により袋状のフィルタ本体２ｂｂの周囲部（側面部）が４本のＬ形部分１２２ｂａで押されると共に、玉材２１２ｂｃによってフィルタ本体２ｂｂの底部が押される。
【００３６】
このようにフィルタ本体２ｂｂには急激な振動（衝撃）が付与されるため、フィルタ本体２ｂｂの外面に付着したダストＤが集塵カップ２ａ内に振り落とされる。なお、実施形態３の場合も、摘み部３２ｂａの引き上げおよび離しを複数回繰り返せばより効果的にフィルタ本体２ｂｂからダストＤを除去することができる。
また、実施形態３では、このような除塵方法以外にも、例えば、フィルタ２０２ｂを装着した集塵カップ２ａを揺らし、それによって振動伝達部２０２ｂｃの玉材２１２ｂｃをフィルタ本体２ｂｂの底部上で転がす、玉材２１２ｂｃを弾性枠体２ｂａに衝突させる等の動作を行うことによって、フィルタ本体２ｂｂに振動を与えてダストＤを振るい落とすこともできる。
【００３７】
（他の実施形態）
１．実施形態３（図１０）において、振動伝達部２０２ｂとしての玉材２１２ｂｃおよび連結材２２２ｂｃの代わりに、弾性枠体２ｂａの摘み部３２ｂａからフィルタ本体２ｂｂの底部に向かって延びる振動伝達部としての棒状部材を、摘み部３２ｂａに一体状に設けてもよい。この場合、フィルタ本体２ｂｂの底部にダメージを与えないように棒状部材の下端を丸みのある形状に形成する。この構成によれば、弾性変形した弾性枠体２ｂａが復元すると、棒状部材がフィルタ本体２ｂｂの底部を瞬間的に突いて（押圧して）ダストを振るい落とすことができる。
【００３８】
２．実施形態１（図７）では、弾性枠体２ｂａの外面側にフィルタ本体２ｂｂが設けられた場合を例示したが、弾性枠体２ｂａの内面側にフィルタ本体２ｂｂが設けられてもよい。この場合、吸引時にフィルタ本体２ｂｂが弾性枠体２ｂａから離れてしまわないよう、弾性枠体２ｂａにおける４本のＬ型部分１２２ｂａの各内面とフィルタ本体２ｂｂの外面とを振動伝達部２ｂｃとしての接合部１２ｂｃにて接合する。
【００３９】
３．実施形態１（図１)では、掃除機本体１０と吸込口体３とが可撓性ホース６で接続されたスティック型の電気掃除機Ａを例示したが、本発明はこの電気掃除機に限定されず、例えば、可撓性ホース６を省略し、吸込口体の接続管部を掃除機本体に着脱可能に接続するタイプのスティック型電気掃除機であってもよい。あるいは、ハンドル４の代わりに掃除機本体１０の駆動部１の筐体１ａにハンドルを設け、掃除機本体１０を持って掃除を行うことができるハンディ型の電気掃除機であってもよく、このハンディ型の掃除機本体に延長管を介して吸込口体を接続したスティック型の電気掃除機としてもよい。また、キャニスター型掃除機であってもよい。
【００４０】
（まとめ）
本発明の電気掃除機は、電動送風機を内蔵する駆動部と、前記駆動部に着脱可能に装着される集塵部とを有し、前記電動送風機が駆動することによりダストを含む空気が前記集塵部に流入するよう構成された掃除機本体を備え、
前記集塵部は、集塵カップと、前記集塵カップに着脱可能に収納されるフィルタとを有し、
前記フィルタは、弾性変形によって振動可能な弾性枠体と、前記弾性枠体に設けられたフィルタ本体と、振動伝達部とを有し、
前記振動伝達部は、前記弾性枠体によって生じる振動を前記フィルタ本体に伝達するよう、前記弾性枠体と前記フィルタ本体との間に設けられている。
【００４１】
この構成によれば、集塵部のメンテナンス時において、使用者は弾性枠体をフィルタ本体と反対側に引っ張って弾性変形させ、離すことにより、弾性変形した枠本体を復元させることができる。このとき、弾性枠体が振動し、この振動が振動伝達部を介してフィルタ本体（濾材）に伝達されるため、フィルタ本体に付着したダストが振るい落とされる。よって、使用者は簡単にフィルタ本体の除塵を行うことができる。また、集塵部に設けられている弾性枠体に振動伝達部を設けることが可能であるため、弾性枠体の大幅な設計変更をする必要はない。
すなわち、本発明によれば、使用者が簡単にフィルタ本体を除塵することができるメンテナンス性に優れた電気掃除機を大幅な設計変更をすることなく提供することができる。
また、前記従来の電気掃除機（特許文献１）の場合、フィルタを振動させる手段としての打撃棒が本体ケースを貫通しているため、吸引力を低下させないよう打撃棒の貫通部分の気密性を確保する必要がある、打撃に耐えうるよう打撃棒およびフィルタ枠等を剛性を有する素材で構成する必要がありコストおよび重量増加につながる、打撃棒を必要とするため部品点数および組み立て工数が増加する、打撃力が強すぎるとフィルタ枠およびフィルタが破損する、といった課題を内包しているが、本発明は従来のこのような課題を解消したものである。
【００４２】
本発明の電気掃除機は、次のように構成されてもよく、それらが適宜組み合わされてもよい。
（１）前記振動伝達部が、前記弾性枠体と前記フィルタ本体とを接合する接合部であってもよい。
この構成によれば、集塵部に設けられた弾性枠体とフィルタ本体とを振動伝達部としての接合部（例えば、接着剤）にて接合することができるため、メンテナンス性に優れた集塵部を低コストにて作製することができる。この構成の場合、フィルタ本体は布製のものが好適である。
【００４３】
（２）前記振動伝達部が、前記フィルタ本体と接触可能に前記弾性枠体に設けられた突起部であってもよい。
この構成によれば、集塵部に設けられた弾性枠体を成型する金型を利用して突起部を有する弾性枠体を成型することが可能であるため、メンテナンス性に優れた集塵部を比較的低コストにて作製することができる。この構成の場合、フィルタ本体は布製でも紙製でもよい。
（３）前記振動伝達部が、前記フィルタ本体と接触可能な玉材と、前記玉材と前記弾性枠体とを連結する連結材とを有してなるものであってもよい。
この構成によれば、集塵部に設けられた弾性枠体に連結材（例えば、紐）を介して玉材を連結することができるため、メンテナンス性に優れた集塵部を比較的低コストにて作製することができる。また、この構成によれば、弾性枠体を振ることによって玉材をフィルタ本体に衝突させ、それによってフィルタ本体に付着したダストを振り落とすことも可能となる。この構成の場合、フィルタ本体は布製でも紙製でもよい。
【００４４】
（４）前記弾性枠体は、カップ形に形成されており、前記弾性枠体の前記カップ形の開口端部に沿って外鍔部が設けられると共に、前記弾性枠体の前記カップ形の内側底面に摘み部が設けられてもよい。
この構成によれば、フィルタ本体の除塵時において、使用者は一方の手で弾性枠体の外鍔部を集塵カップに押さえ付け、他方の手で弾性枠体の摘み部を引っ張って離す動作をすることができるため、弾性枠体を安定させた状態で摘み部を摘んで除塵動作を行うことができる。なお、フィルタを集塵カップから取り外した場合は、使用者は一方の手で弾性枠体の外鍔部を掴み、他方の手で弾性枠体の摘み部を引っ張って離す動作をすることができる。
【００４５】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【００４６】
１  駆動部
１ｂ  電動送風機
２  集塵部
２ａ  集塵カップ
２ｂ、１０２ｂ、２０２ｂ  フィルタ
２ｂａ  弾性枠体
２ｂｂ  フィルタ本体
２ｂｃ、１０２ｂｃ、２０２ｂｃ  振動伝達部
１０  掃除機本体
１２ｂｃ  接合部
１１２ｂｃ  突起部
２１２ｂｃ  玉材
２２２ｂｃ  連結材
３２ｂａ  摘み部
４２ｂａ  外鍔部
Ａ  電気掃除機
【図１】
2020078530.tif 000003
【図２】
2020078530.tif 000004
【図３】
2020078530.tif 000005
【図４】
2020078530.tif 000006
【図５】
2020078530.tif 000007
【図６】
2020078530.tif 000008
【図７】
2020078530.tif 000009
【図８】
2020078530.tif 000010
【図９】
2020078530.tif 000011
【図１０】
2020078530.tif 000012